(57)【特許請求の範囲】
【請求項１】
受信部と、該受信部からの信号線に並列に接続されて火災を検出するときに火災信号を該信号線に出力する複数の火災感知器と、該信号線に着脱可能に接続されて前記複数の火災感知器に対して個別に点検命令を出力して応答信号を受信する信号伝送を行う点検器と、を有する火災報知機であって、
前記点検器は、前記点検命令を各火災感知器に個別に作用させるために所定の接続個数分固有番号を変えながら送出し、前記複数の火災感知器は、個別に前記点検命令に応答して前記応答信号を出力するものであって、前記複数の火災感知器のうち最終設定が行われている火災感知器は、最終設定されていることを示す応答信号を出力し、前記点検器に前記点検命令の送出を中止させることを特徴とする火災報知機。
【請求項２】
点検器は、複数の火災感知器の各々と１対１で接続されるときに、接続された火災感知器に設定された固有番号を読み出すための返送命令を送出して、返送された固有番号を表示部に表示するものである請求項１の火災報知機。
【請求項３】
点検器は、操作部を有し、前記複数の火災感知器の各々と１対１で接続されるときに、該操作部から所望の固有番号が入力されるときに、該所望の固有番号を設定させる設定命令を出力するものである請求項１または２の火災報知機。
【請求項４】
点検器は、固有番号と同時に最終設定を送受信するものである請求項２または３の火災報知機。
【発明の詳細な説明】
【０００１】
【発明の属する技術分野】
本発明は、住戸内に点在する火災感知器の点検を住戸外から遠隔に行う場合などに便利な火災報知機に関する。
【０００２】
【従来の技術】
従来、火災感知器の動作試験は、感知器の種別により加熱試験器や加煙試験器を用いて熱または煙を実際に加えて試験を行っていた。また、熱や煙を直接加える試験は、人や時間を要し感知器を汚すことになるので、火災感知器内部の回路にテスト電圧を加え、検出部を動作させて模擬的に試験することなど、種々の試験方法がある。
【０００３】
【発明が解決しようとする課題】
住戸に設けられる火災報知機において、点検を行う場合に、そこの住居人が不在の場合がある。例えば、住戸の管理人がある場合には、立ち会いを依頼して住戸内に入ることができるが、手間が係る。一般的には、火災報知機の点検員であっても、住戸内に他人を入れるのは好まれず、点検作業が手間取ることが多い。
【０００４】
そこで、特開平５−３４６９９５号公報には、住戸の外部から個別に火災感知器に点検入力を戸外表示器から行うため、周波数により特定されたアダプタが感知器に試験電圧を発生させ動作試験する火災報知機が開示されている。しかし、この公報の火災報知機では、個別にアダプタと戸外表示器の信号送出回路の周波数を合わせるために調整する必要があるとともに、試験結果は火災受信機の動作に基づいて鳴動させられる戸外ブザーにより確認を行っていた。
【０００５】
また、ビル等の対象物の大きなもので多数の火災感知器が必要な場合には、いわゆるＲ型と呼ばれる方式が採用され、受信部としての火災受信機または分散中継器と火災感知器や被制御機器用中継器などの多数の端末機器側とは、コード信号により監視・制御のデータを高度な信号伝送により送受信している。このときの信号伝送では、コード信号はビットごとの電位のハイ・ローで認識し、膨大な信号伝送量を必要とするので、１秒間に何千以上の電位のハイ・ローを繰り返すタイミングをとるため、水晶振動子などの高度な部品を利用して正確な信号判別を行わなければならない。
【０００６】
【課題を解決するための手段】
上記の点に鑑み、この発明は、受信部と、該受信部からの信号線に並列に接続されて火災を検出するときに火災信号を該信号線に出力する複数の火災感知器と、該信号線に着脱可能に接続されて前記複数の火災感知器に対して個別に点検命令を出力して応答信号を受信する信号伝送を行う点検器と、を有する火災報知機であって、前記点検器は、前記点検命令を各火災感知器に個別に作用させるために所定の接続個数分固有番号を変えながら送出し、前記複数の火災感知器は、個別に前記点検命令に応答して前記応答信号を出力するものであって、前記複数の火災感知器のうち最終設定が行われている火災感知器は、最終設定されていることを示す応答信号を出力し、前記点検器に前記点検命令の送出を中止させることを特徴とするものである。
【０００７】
したがって、受信部には点検機能を設けてなくても、点検器から複数の火災感知器の点検を行うことができ、簡便に個別の火災感知器を識別して点検することができ、さらに、最終の火災感知器を認識できる。
【０００８】
さらに、点検器は、複数の火災感知器の各々と１対１で接続されるときに、接続された火災感知器に設定された固有番号を読み出すための返送命令を送出して、返送された固有番号を表示部に表示するものであり、また、操作部から所望の固有番号が入力されるときに、該所望の固有番号を設定させる設定命令を出力するものである。このとき、固有番号と同時に最終設定を送受信することができる。
【０００９】
したがって、点検器は、信号線上の火災感知器に対して点検を行うのみでなく、各火災感知器と1体1で接続して固有番号や最終設定等のデータ設定にも用いることができる。
【００１０】
【発明の実施の形態】
以下、本発明を実施した形態について説明する。図１はシステムの一実施形態を概略的に示す構成図である。
【００１１】
例えば住戸内の居間に設けられた火災受信機１から引き出された共通線２およびライン線３からなる電源兼信号線に、各部屋等に設けられる複数の火災感知器４が並列に送り配線によって接続され、その信号線２、３の後端には終端抵抗５が接続されている。
【００１２】
また、信号線２、３の火災受信機１と各火災感知器４との間には、常時は共通線２およびライン線３を火災受信機１に切り換え接続している線路切換器６が配置されている。
【００１３】
常時は、各火災感知器４は、信号線２、３を通じて火災受信機１から供給される電源によってそれぞれ火災監視動作を行い、火災検出時にはスイッチング動作を行って信号線２、３間を低インピーダンスの略短絡状態とする。火災受信機１は、そのスイッチング動作に基づく略短絡状態を検知して火災報知動作を行う。このとき、火災受信機１は、例えば住戸の玄関脇に設けられ接続される戸外表示器１０に火災表示を行ったり、住戸完結型でなく、図示しない住棟受信機が建物全体の監視制御として設けられているときには、必要な火災信号を住棟受信機に出力する。
【００１４】
点検時には、線路切換器６から戸外の例えば戸外表示器１０の側に引き出されたコネクタ１１に、点検器１２がコネクタ接続される。この点検器１２からの点検操作に基づき、線路切換器６は、火災受信機１へ点検出力線９を介して点検開始出力を行い、火災受信機１で点検中を表示させるとともに、各火災感知器４への信号線２、３を、火災受信機１から切り離し、点検器１２へ接続する。この状態において、火災受信機１は、線路切換器６の点検開始出力に基づき点検表示を行い、点検器１２からの戸外点検を可能とする。このとき、各火災感知器４は信号線２、３を通じて点検器１２から供給される電源電圧によって動作する。
【００１５】
図２は、図１のシステムに使用される火災感知器４の概略回路図である。
【００１６】
火災感知器４は、電源兼信号線２、３がそれぞれ接続される端子Ｃ、Ｌを電源として、安定した電圧および電流を供給する定電圧回路Ｂ２と、抵抗とコンデンサとの充電時定数に基づきマイコンに割り込み入力を行う図示しない発振回路やマイコン等による制御回路Ｂ３と、サーミスタの温度特性により火災による熱を検出するなどのセンサ回路Ｂ４と、制御回路Ｂ３により火災と判別されるときに端子Ｃ、Ｌ間を低インピーダンスの略短絡状態にスイッチングするとともに図示しない確認灯を点灯する火災出力回路Ｂ１と、を有し、さらに、点検動作を行うために信号線３の入力側が接続される端子Ｌから点検信号としてのパルスの入力を検出する信号受信回路Ｂ６と、点検動作時に制御回路Ｂ３の制御に基づいてセンサ回路Ｂ４へ点検動作を行わせる試験回路Ｂ５と、ＥＥＰＲＯＭ等による記憶装置であって固有番号としてのアドレスおよび最終設定等が格納される設定部Ｂ７と、を有する。
【００１７】
サーミスタを用いる場合の制御回路Ｂ３による点検動作は、疑似的な高温度状態を形成するため、センサ回路Ｂ４においてサーミスタに例えば抵抗を並列に接続することにより、疑似的に高温度状態を検出する。そして、その結果に基づき、制御回路Ｂ３は点検結果を正常と判断する。以上、図１のシステムに使用される火災感知器４の具体例としてのサーミスタ式熱感知器について説明したが、その他の種類の例えば光電式煙感知器や炎感知器等を用いるときには種類に応じて必要な回路を設けておく。
【００１８】
図３は、図１のシステムに使用される点検器１２および点検器１２が接続される線路切換器６の簡略的なブロック回路図である。
【００１９】
点検器１２は、マイコン等を利用したコントロール回路Ｂ１６により全体が制御され、ライン線３から各感知器４に電源電圧が供給され、コントロール回路Ｂ１６の制御によりパルス送出を行う発振回路Ｂ１８が設けられている。また、端子ＬＰを介して火災受信機１の信号線２、３に抵抗Ｒｐによって疑似的に終端抵抗電位を与えるトランジスタ等によるスイッチ回路Ｂ２１と、端子ＳＴを介して線路切換器６に線路切換動作を行わせるとともに、火災受信機１に点検開始入力を与えるトランジスタ等によるスイッチ回路Ｂ２２と、コントロール回路Ｂ１６に接続された各種スイッチおよび表示灯等からなる表示操作部Ｂ２３と、信号線２、３に接続される各感知器４および点検器１２の電源となる蓄電池等による電源Ｂ２４が設けられている。
【００２０】
また、線路切換器６は、端子ＳＴｔおよび端子ＳＴを介して火災受信機１へ入力される点検器１２からの点検開始入力を検知して接点ｒ１、ｒ２をそれぞれｂからａに切り換えるリレーユニットＢ２５からなり、常時火災受信機１への端子ＬＩに接続されている各感知器４への端子ＬＯは、接点ｒ１のｂからａへの切り換えにより、点検器１２への端子Ｌｔに接続され、同時に、火災受信機１への端子ＬＩは、接点ｒ２のｂからａへの切り換えにより、点検器１２への端子ＬＰｔに接続される。その他、コモン線２に接続される端子ＣＩから端子ＣＯ、さらに点検器１２からの端子Ｃｔについても常時接続状態である。
【００２１】
この点検器１２の操作について、図１のように、点検器１２を戸外からコネクタ１１に接続した後、図４に示す表示操作部Ｂ２３の電源スイッチＳ１を操作する。すると、点検器１２のコントロール回路Ｂ１６は、スイッチ回路Ｂ２１、Ｂ２２に動作出力を行って、端子ＳＴを介して線路切換器６のリレーユニットＢ２５を火災受信機１側の電源によって動作させるとともに、火災受信機１に点検開始入力を与える。このリレーユニットＢ２５の動作により、各感知器４からの信号線２、３は、火災受信機１から点検器１２に切り換えられ、火災受信機１の信号線２、３は、点検器１２の抵抗Ｒｐにより疑似的に終端抵抗によるインピーダンスが与えられ、火災受信機１の断線表示を行わせない。
【００２２】
この状態で、図４に示す表示操作部Ｂ２３の点検開始スイッチＳ２を操作すると、戸外点検モードによる点検動作が開始されるが、選択スイッチＳ４を操作することにより、モードを順次選択することが可能である。そのモードは、モード表示灯Ｌ１７〜Ｌ１９により表示される。そして、戸外点検モードにより点検開始スイッチＳ２を操作すると、点検中灯Ｌ１４を点灯させるとともに、コントロール回路Ｂ１６の制御により戸外点検モードによる点検動作がスタートする。
【００２３】
その結果、格納した点検結果から点検信号の得られなかった番号があれば表示灯Ｌ１〜Ｌ１０の該当する表示灯を点滅させるとともに異常終了灯Ｌ１２を点灯し、異常がなければ正常終了灯Ｌ１１を点灯する。そして、点検動作を終了して点検中灯Ｌ１４を消灯する。その結果、表示操作部Ｂ１８の表示灯Ｌ１〜Ｌ１０によって、点灯している番号は正常であり、点滅している番号は異常であることが認識できる。
【００２４】
信号線２、３間に接続された各火災感知器４は、信号受信回路Ｂ６によりパルスを検出して制御回路Ｂ３にその入力が行われる。そして、各火災感知器４の内、制御回路Ｂ３が設定部Ｂ７に基づいて認識する自己のアドレスを指定されている場合に、そのパルス信号を受けて、制御回路Ｂ３の制御に基づいて試験回路Ｂ５を動作させてセンサ回路Ｂ４を点検する。そして、その火災感知器４の制御回路Ｂ３はセンサ回路Ｂ４が正常な場合、火災出力回路Ｂ１をパルス動作させて信号線２、３間に自己のアドレスを伝送する応答信号の出力を行う。そして、点検器１２は、この点検結果である応答信号をコントロール回路Ｂ１６にＡ／Ｄ変換して入力し、端子Ｌの電圧レベルがソフト的に判別されてパルスが検出される。
【００２５】
次に、上記動作中の信号線２、３の間の信号伝送方式について、図５から図８に基づいて説明する。
【００２６】
点検器１２が端子Ｃ、Ｌから信号線２、３間に送出する信号の全体的な構成を図３および図４に示した。点検器１２は、まず準備信号を送出して、各火災感知器４にコード信号による制御ユニットの送出を開始することを認識させ、制御ユニットの先頭を表すヘッダ信号、要求する点検の内容を示す制御コード信号、各火災感知器４を個別に指定するアドレス信号、制御ユニットの最後を示すフッタ信号を１つの制御ユニットとして、これらを各火災感知器４に個別に作用させるために接続個数分、例えば１０個分アドレスを変えながら送出する。そして、最後に伝送を終了することを各火災感知器４に認識させるＥＮＤ信号を送出する。この信号伝送の間、各火災感知器４は、制御ユニットのアドレス信号が自己のアドレスと一致するときに、その制御ユニットの制御信号に示された点検動作をフッタ信号のタイミングで行う。そして、指定された火災感知器４は点検動作の結果に基づいて、火災出力回路Ｂ１をパルス動作させてコード信号による応答ユニットを出力する。このとき、異常なしの場合には図５または図６のように自己のアドレスを出力するが、異常の場合にアドレス部分を空白にする。また、異常なしの場合でも、設定部Ｂ７のアドレスを参照するときに、最終設定が行われている場合には、自己アドレスの逆転（アドレス「０００１」の場合には「１１１０」となる）を送出する。この逆転のアドレスを受信した点検器１２は、火災感知器４がそのアドレス以上に設けられていないことを認識して、アドレス１０までの送出を行わずにその時点で点検信号の送出を中止してＥＮＤ信号を送出する。
【００２７】
次に、上記図５および図６に示した伝送信号の具体的な形態について、図７および図８に示す。まず、準備信号はＴ１、例えば１秒間以上の定常電位を継続した後、所定幅Ｔ２、例えば３０ｍ秒の幅にプラス側のパルスを形成し、定常電位をＴ３、例えば５００ｍ秒継続する。この準備信号により各火災感知器４は、現在処理中の動作を中断して伝送に対応する準備を行う。このとき、パルスの幅Ｔ２は、火災感知器４の動作中に確実に検出できる幅であることが必要である。
【００２８】
そして、ヘッダ信号およびフッタ信号は、Ｔ４、例えば１２ｍ秒の幅のパルスとＴ５、例えば２００ｍ秒の定常電位を継続する。この始めのパルスの立ち上がりは、他の信号でも同様であるが、直前の信号の定常電位の終端を示し、このヘッダ信号等のパルスは、次に説明する制御コードやアドレスを示すコード信号部分のパルスと形状を異ならせている。これにより、制御コードやアドレスを示したい信号部分との区別を容易にしている。
【００２９】
そして、制御コードやアドレスを示すコード信号部分については、ヘッダ信号等のパルスとは異なる幅Ｔ６、例えば３ｍ秒のパルスを形成し、続く定常電位の時間を「０」を示す幅Ｔ７、例えば１２ｍ秒、または「１」を示す幅Ｔ８、例えば２４ｍ秒とする。この「０」、「１」の組み合わせにより、制御コードおよびアドレスを表していて、例えば制御コードでは、２ビットで点検時の各種モードを表し、また、アドレスは４ビットでアドレス１からアドレス１０までを表している。したがって、この場合のコード信号部分は６ビット分になる。
【００３０】
図７のコード信号部分では、制御コード部分が「０１」、アドレス部分が「０００１」であり、アドレス１の火災感知器に点検モードの動作を行うように指定されている。
【００３１】
アドレス指定された火災感知器４から返送する応答ユニットも制御ユニットと同様であり、ヘッダ信号、自己のアドレス、フッタ信号の構成は上記と同じである。
【００３２】
上記のような信号の送受信がアドレス１からアドレス１０まで伝送されると、図８のようにＥＮＤ信号を送出する。ＥＮＤ信号は、Ｔ１０、例えば１２ｍ秒の幅のパルスとＴ５、例えば１秒の定常電位を継続する。各火災感知器４は、この１秒以上の定常状態を検出して、伝送への対応を終了し、通常の火災検出動作を開始する。
【００３３】
ここで、アドレス指定されない火災感知器４は、当然点検動作を行わないが、本実施形態では、火災検出動作を行うようにしている。このことで、点検期間中にも対象となる火災感知器４以外の感知器は、火災検出が可能であり、当然火災検出時には、火災出力回路Ｂ１を働かせて、スイッチング動作を行う。点検器１２側では、コントロール回路Ｂ１６にＡ／Ｄ変換して取り込んだ電圧レベルによる連続した火災信号検出に基づいて、火災の発生を認識し、点検動作を終了して、線路切換器６を働かせ、信号線２、３を火災受信機１に切り換え、火災受信機１に火災報知等の火災動作を行わせる。
【００３４】
また、制御コードによる点検のモードについて説明すると、上記の通常の点検モードを「０１」で表し、各火災感知器４は、フッタ信号の間に点検動作を行い、次のヘッダ信号のところで、火災出力回路Ｂ１を動作させて火災信号を送出する。それに対して「１０」は、感知器特定モードを表し、各火災感知器４は、ヘッダ信号の部分で例えば１５０ｍ秒の間、火災出力回路Ｂ１を動作させて火災感知器４のスイッチングを外観から目視で確認できるようにする。すなわち、点検モードでは、指定された火災感知器４が点検器１２に対して点検結果を応答するモードであるが、そのスイッチングの間隔は点検器１２で確認されて図示しない表示部に個別に結果が表示されるが、点検作業員は、不良のアドレスの番号を見るだけで、不良の火災感知器の位置の特定は資料が必要になる。それで、火災出力回路Ｂ１の動作時間を長くとり、点灯する図示しない確認灯を目視できるようにするものである。
【００３５】
また、ヘッダ信号のパルスの幅を変更することにより、制御ユニットの目的を変更することも可能であり、本実施形態では、ヘッダ信号のパルス幅を例えば２４ｍ秒と長くするときに、火災感知器４にデータ設定のモードと認識させている。このデータ設定では、点検の場合と目的の違いから信号構成が異なってくるので、伝送当初のヘッダ信号により区別できることが有利である。
【００３６】
ここで、点検器１２に火災感知器４を１対１で接続してアドレス確認および設定などを行う場合について、図９から図１３に基づいて説明する。
【００３７】
このとき、点検器１２の端子Ｃ、Ｌに対して信号線１３を介して火災感知器４が図９に示すように１個接続されることになるが、そのときに、点検器１２が点検動作を行うか、設定動作を行うかについては電源投入時のスイッチ操作で区別している。また、点検器１２の端子ＳＴ、ＬＰが空くことを検知すること、信号線１３のコネクタ形状を物理的に検知すること、端子Ｃ、Ｌ間に終端抵抗がないことなど、その他の手法であってもよい。この状態において、点検器１２の図４に示す点検開始スイッチＳ２を操作することで、点検器１２は、点検時と同様、まず準備信号を送出して、各火災感知器４にコード信号による制御ユニットの送出を開始することを認識させ、制御ユニットの先頭を表すヘッダ信号、要求する機能の内容を示す制御コード信号、アドレス信号、制御ユニットの最後を示すフッタ信号を１つの制御ユニットとして送出する。これら制御ユニットの各部においてコードの表し方は図７に示したパルスおよびその間のタイミングと同様であり、ビット数も同じにしている。また、データ設定の場合には、伝送を終了することを各火災感知器４に認識させるＥＮＤ信号の出力は行わない。この信号を受けた火災感知器４は、制御ユニットの制御信号に示された設定動作の内容に基づいて応答ユニットを出力する。この応答ユニットについて図１０から図１３に示しているが、点検器１２からの設定動作の内容に基づいてそれぞれ以下に説明する。なお、以下の説明における火災感知器４のアドレス読み出しは特に問題はないが、アドレスの設定については注意を払う必要がある。したがって、詳細に説明しないが、設定動作を行う場合には、電源投入時のキー操作や信号線１３に特定のものを使用することなど、プロテクト手段を設けることが好ましい。
【００３８】
まず、接続された火災感知器４に設定されているアドレスを確認するときには、点検器１２の表示操作部Ｂ２３の開始スイッチＳ２によって、図１０に示されるように、制御コード部分が「０１」で、アドレスは必要ないがここでは任意で「０００１」を用いた制御ユニットを送出する。そして、火災感知器４はアドレスを２重にしたものと、ＥＯＲ信号とによる応答ユニットを返送する。図１０では火災感知器４のアドレス信号は「００１１」となっている。ここで、ＥＯＲ信号は、火災感知器４自らが伝送を終了することを示す信号で、例えば２４ｍ秒の幅にマイナス側にパルスを形成したものである。点検器１２はこのＥＯＲ信号によって火災感知器４からの応答が終了したことを認識する。そして、この信号の送出後に火災感知器４は通常の状態に戻る。この結果から点検器１２は操作表示部Ｂ２３の３番の表示灯Ｌ３を点灯させる。
【００３９】
この火災感知器４に最終設定が行われている場合について図１１に示した。ここでは火災感知器４が送出するアドレス信号の後側が反転され、最初のアドレス信号が「００１１」で次のアドレス信号が「１１００」となっている。この結果から点検器１２は接続されている火災感知器４には最終設定がされていることを判別し、３番の表示灯Ｌ３を点滅点灯させ、連続点灯との違いで最終設定を表す。また、最終設定については、別に最終を表す表示灯を用いてもよい。
【００４０】
次に、接続された火災感知器４に所望のアドレスを設定させるときには、まず、点検器１２の表示操作部Ｂ２３の選択スイッチＳ４の操作による表示灯Ｌ１〜１０のうちで所望の番号を選択して点灯させているときに、開始スイッチＳ２を操作することによって、図１２に示されるように、点検器１２から制御コード部分が「１１」で、アドレスがここでは６番が選択されて「０１１０」を用いた制御ユニットを送出する。そして、この制御ユニットを受信した火災感知器４は自己の設定部Ｂ７に６番のアドレスを設定して、設定したアドレスを２重にしたものと、ＥＯＲ信号とによる応答ユニットを返送する。図１０では火災感知器４のアドレス信号は「０１１０」となっている。この結果から点検器１２は操作表示部Ｂ２３の６番の表示灯Ｌ６を点灯させる。
【００４１】
最後に、接続された火災感知器４に最終設定を設定させるときには、まず、点検器１２の表示操作部Ｂ２３の選択スイッチＳ４の操作による表示灯Ｌ１〜１０のうちで所望の番号を選択して点灯させながら、選択スイッチＳ４を押圧しながら開始スイッチＳ２を操作する。そして、図１３に示されるように、点検器１２から制御コード部分が「１０」で、アドレスがここでは６番が選択されて「０１１０」を用いた制御ユニットを送出する。そして、この制御ユニットを受信した火災感知器４は自己の設定部Ｂ７に６番のアドレスおよび最終設定を設定して、最初のアドレス信号が「０１１０」で次のアドレス信号が「１００１」と、ＥＯＲ信号とによる応答ユニットを返送する。この結果、から点検器１２は接続されている火災感知器４には最終設定がされていることを判別し、６番の表示灯Ｌ６を点滅点灯させ、連続点灯との違いで最終設定を表す。
【００４２】
上記のような実施形態におけるアドレス等が設定される設定部Ｂ７は、ＥＥＰＲＯＭなどの記憶手段であってよいが、ディップスイッチやロータリースイッチ等の接点手段であってよく、システム起動後に所定の記憶領域に最新のアドレスを保持してもよい。そして、アドレス等の設定は、点検器１２から伝送で行えるが、ハード的またはソフト的に自動設定が行えてもよく、抵抗素子の着け換えによるアドレス設定方式、コイルとバリキャップから共振周波数を設定しておくことによるアドレス設定方式、コイルと抵抗成分を信号線部分に設けて接続順に周波数が設定されるアドレス設定方式、または、乱数を発生させて自動的に個別のアドレス設定が行える方式などを用いてもよく、システムの構成当初に実施すると簡便である。さらに、上記の実施形態ではアドレスと最終設定の火災感知器への格納について示したが、これら以外のデータ設定が行えてもよく、例えば、火災判別レベルや蓄積時間の設定が行えてもよい。
【００４３】
また、図１に示すシステム構成の実施形態では、各火災感知器４への信号線２、３に対して、点検器１２を接続するときに、線路切換器６が信号線２、３を火災受信機１から点検器１２に接続を切り換える切換動作を行っているが、火災感知器４と火災受信機１とはスイッチングによる火災監視動作を、点検器１２と火災感知器４とは信号伝送による点検動作を行うので、火災信号と伝送パルスとの区別がつくように火災受信機１にパルスの除去手段を設けておけば、各火災感知器４に対して火災受信機１と点検器１２とを並列に接続してもよい。
【００４４】
以上のように、この実施形態では、火災受信機１のような受信部と、受信部からの信号線２、３に並列に接続されて火災を検出するときに火災信号を信号線２、３に出力する複数の火災感知器４と、信号線２、３に着脱可能に接続されて複数の火災感知器４に対して個別に点検命令を出力して応答信号を受信する信号伝送を行う点検器１２と、をするものであって、点検器１２は、点検命令を各火災感知器４に個別に作用させるために所定の接続個数分固有番号（アドレス）を変えながら送出し、複数の火災感知器４は、個別に点検命令に応答して応答信号を出力するものであって、複数の火災感知器４のうち最終設定が行われている火災感知器は、最終設定されていることを示す応答信号を出力し、点検器１２に点検命令の送出を中止させるものであり、火災受信機１のような受信部には点検機能を設けてなくても、点検器１２から複数の火災感知器４の点検を行うことができ、簡便に個別の火災感知器４を識別して点検することができ、さらに、最終の火災感知器を認識して、点検信号の送出を中止することができる。
【００４５】
さらに、この実施形態では、点検器１２は、複数の火災感知器４の各々と１対１で接続されるときに、接続された火災感知器４に設定された固有番号を読み出すための返送命令を送出して、返送された固有番号を操作表示部Ｂ２３に表示するもの、また、操作表示部Ｂ２３から所望の固有番号が入力されるときに、所望の固有番号を設定させる設定命令を出力するもの、このとき、固有番号と同時に最終設定を送受信することができるものであり、点検器１２は、信号線２、３上の火災感知器４に対して点検を行うのみでなく、各火災感知器４と1体1で接続して固有番号や最終設定等のデータ設定にも用いることができる。
【図面の簡単な説明】
【図１】システムを概略的に示す構成図。
【図２】図１の火災感知器の概略ブロック回路図。
【図３】図１の点検器の概略ブロック回路図。
【図４】図３の操作表示部を簡単に示す概略図。
【図５】点検時の制御コードを簡単に示す概略図。
【図６】図５と同様の概略図。
【図７】図５のパルス形状を簡単に示す波形図。
【図８】図６のパルス形状を簡単に示す波形図。
【図９】データ設定時のシステム構成を示す概略接続図。
【図１０】データ設定時の制御コードを簡単に示す概略図。
【図１１】図１０同様の概略図。
【図１２】図１０同様の概略図。
【図１３】図１０同様の概略図。
【符号の説明】
２、３  信号線
４  火災感知器
１２  点検器
【図１】
0003596583.tif 000002
【図２】
0003596583.tif 000003
【図３】
0003596583.tif 000004
【図４】
0003596583.tif 000005
【図５】
0003596583.tif 000006
【図６】
0003596583.tif 000007
【図７】
0003596583.tif 000008
【図８】
0003596583.tif 000009
【図９】
0003596583.tif 000010
【図１０】
0003596583.tif 000011
【図１１】
0003596583.tif 000012
【図１２】
0003596583.tif 000013
【図１３】
0003596583.tif 000014